(57)【要約】【課題】  従来のバスドラム又はハイハット・シンバル用のペダル組立体に伴う非効率、制御に用いる力の非一貫性、ノイズや複雑性などの問題をなくす改良されたペダル組立体を提供することである。【解決手段】平らなベースプレートに弾力のあるペダル板が足を受けるように傾斜させて締着されている。ビータ・スティックが、ペダルを押し下げるとビータ・スティックをバスドラムに対して駆動するリンク機構によって、ペダル板のトウ端部と接続されている。足圧を解放すると、ペダル板の弾力性はペダル板をそれのノーマル位置に戻す。ビータ・スティックがドラムに加えることができる力を制限するためにストライカ・パッドがペダル板の押下げを制限する。【選択図】図１
2005173274.tif 000002
【特許請求の範囲】
【請求項１】
人間のユーザの足を用いて楽器を操作するペダル組立体であって、
前記ペダル組立体は、支持面に使用するためのベースプレート及び弾性構造とヒール端部を有する柔軟なペダルを備え、前記ヒール端部は前記ペダルが前記ヒール端部から上方へ向かって傾いているノーマル位置と前記ペダルが前記ノーマル位置から変位させられている押し下げられた位置の間にたわむことができるようにして前記ベースプレートと接続されており、ペダルの前記弾性構造は、前記ノーマル位置から変位すると、前記ペダルを前記ノーマル位置の方へ押しやり、さらにまた、前記ノーマル位置から前記押し下げられた位置へユーザの足によって変位させると楽器を作動させるように構成された楽器への前記ペダルの接続部を備える楽器用ペダル組立体。
【請求項２】
前記ペダルは、前記ヒール端部と接続されて前記ヒール端部の厚さより厚い本体部分を有する請求項1に記載のペダル組立体。
【請求項３】
前記接続部が前記ヒール端部に堅く締め付けられたクランプを備えている請求項２に記載のペダル組立体。
【請求項４】
前記ペダルのたわみ性を変えるためにペダルの前記本体部分を前記クランプに対して接近及び離間させる調節を可能にするための前記クランプの調節を含む請求項３に記載のペダル組立体。
【請求項５】
前記接続部は、前記ベースプレートと接続され、少なくとも一部分が前記ベースプレートから上方へ離れる方向に傾いている取付プレート及び前記取付プレートと前記クランプ・プレートの前記一部分との間にペダルの前記ヒール端部を固定するクランプ・プレートを備える請求項２に記載のペダル組立体。
【請求項６】
前記取付プレートが前記ベースプレートに固定された大体平らなベース部分及び前記ベース部分から上方へ傾いて出ている部分を有する曲がったプレートを備える請求項５に記載のペダル組立体。
【請求項７】
前記取付プレートの前記ベース部分の上にヒール・パッドを備えている請求項６に記載のペダル組立体。
【請求項８】
、前記ヒール端部が前記ペダルの有する長さ寸法のほぼ２０%を占める請求項２に記載のペダル組立体。
【請求項９】
ペダルの前記ヒール端部に隣接して前記ベースプレート上にヒール・パッドを備える請求項１に記載のペダル組立体。
【請求項１０】
前記ペダルがそれの前記ヒール端部の反対側にトウ端部を有し、ペダルの押下げを制限するために前記ペダルの前記押し下げられた位置で前記トウ部分によって接触される場所で前記ベースプレート上にストライカ・パッドを備える請求項１に記載のペダル組立体。
【請求項１１】
支持面に使用するためのベースプレート及び弾性構造とヒール端部を有する柔軟なペダルを備え、前記ヒール端部は前記ペダルが前記ヒール端部から上方へ向かって傾いているノーマル位置と前記ペダルが前記ノーマル位置から変位させられている押し下げられた位置の間にたわむことができるようにして前記ベースプレートと接続されており、ペダルの前記弾性構造は、前記ノーマル位置から変位すると、前記ペダルを前記ノーマル位置の方へ押しやり、さらにまた前記ペダルの前記ノーマル位置からの変位を制限するために前記ペダルの前記押し下げられた位置にあるペダルによって接触される場所で前記ベースプレートにあるストライカ・パッドを備える音楽用ペダル組立体。
【請求項１２】
前記ペダル組立体は、バスドラムを演奏するための練習装置として有効であり、前記ペダルのトウ部分及び前記ストライカ・パッドを叩くために前記トウ部分に付いているストライカを備える請求項１１に記載のペダル組立体。
【請求項１３】
バスドラム・ビータ・スティック用ペダル組立体であって、支持面に使用するためのベースプレート及び弾性構造とヒール端部を有する柔軟なペダルを備え、前記ヒール端部は前記ペダルが前記ヒール端部から上方へ向かって傾いているノーマル位置と前記ペダルが前記ノーマル位置から変位させられている押し下げられた位置の間にたわむことができるようにして前記ベースプレートと接続されており、ペダルの前記弾性構造は、前記ノーマル位置から変位すると、前記ペダルを前記ノーマル位置の方へ押しやり、さらにまた前記ペダルの前記ヒール端部の反対側のトウ端部に隣接して前記ペダルと旋回可能に接続されたリンク、事実上水平枢支軸において前記リンクと接続されたカムアーム及び前記カムアームが前記枢支軸からずれたカム軸を中心にして回転するように取り付けられている前記ベースに載ったフレームを備え、前記ビータ・スティックは、前記枢支軸において前記カムアームと接続されていることを特徴とするバスドラム・ビーター用ペダル組立体。
【請求項１４】
前記ペダルの距離寸法に沿って前記リンクを調節するための手段を備える請求項１３に記載のペダル組立体。
【請求項１５】
前記カムアームの長さ寸法に沿った前記枢支軸の位置を調節する手段を備える請求項１４に記載のペダル組立体。
【請求項１６】
前記枢支軸から測定されるビータ・スティックの長さを調節する手段を備える請求項１５に記載のペダル組立体。
【請求項１７】
前記ビータ・スティックが前記枢支軸から伸びる回転角度を調節する手段を備える請求項１６に記載のペダル組立体。
【請求項１８】
前記枢支軸から測定されるビータ・スティックの長さを調節する手段を備える請求項１４に記載のペダル組立体。
【請求項１９】
前記カムアームの長さ寸法に沿った前記枢支軸の位置を調節する手段を備える請求項１３に記載のペダル組立体。
【請求項２０】
前記枢支軸から測定されるビータ・スティックの長さを調節する手段を備える請求項１９に記載のペダル組立体。
【発明の詳細な説明】
【技術分野】
【０００１】
本発明は、一般的にいえば楽器に関し、さらに詳しく言えばバスドラム及びハット・シンバルを演奏するために用いられる形式のペダル組立体に関する。
【背景技術】
【０００２】
ペダル板は、彼らが足踏み式ビータ・スティックでバスドラムを打つために彼らの足を用いることができるように１９００年代初期以来ドラマーによって用いられてきた。その時から、ペダル機構の基本的な構造は、ほとんど変わっていない。蝶番式フットボードがドラマーの足によって作動され、ペダルが押し下げられると回転する軸にクランク又はカム結合によって接続されている。ビータ・スティックは、軸に取り付けられ、ペダルが押し下げられると、ドラムに対して回転可能に駆動される。
【０００３】
この構造に伴う主な問題の一つは、引張ばねがペダルをそれの元の位置に戻し、ペダル板が解放されると、ビータをドラムから引き離すために必要なことである。ばねは、軸に偏心輪によって接続されて、軸がペダルの押下げによって回されるにつれて偏心輪が回されると、ばねが引っ張られるようになっている。ばねの変形は、ドラマーの足圧がなくなると、ばねに構成要素をそれらの元の位置に戻させる。
【０００４】
ばねによって加えられる抵抗は、ばねの伸びの変化につれて一定でなく不規則である。引張ばねは引っ張られれば引っ張られるほど、ばねが与える抵抗は大きくなる。ドラム・ペダル組立体において、これはかなりの問題なる可能性があり、ばねがその最大まで伸ばされ、最大の抵抗を与えるので、スティックがドラム・ヘッドを打つ直前及びその瞬間に、ビータ・スティックが限界領域に達するとき、したがって、ドラム・ヘッドが打たれる時点で、過剰な抵抗が与えられる。ばねが偏心輪を利用して取り付けられる方法は、引伸しの外に振り子形式運動をつくり、これは、均衡及び整合性が最も望ましい点で運動を複雑にすることによって問題を悪化させる。結果は、ドラマーがドラムの一貫した打撃作用を達成するのに苦労するということである。
【０００５】
ばねは、また、バスドラム音を受けるためにしばしば設けられる近くのマイクロホンによって、拾われる可能性があるノイズをつくる可能性がある。キーキーいう音及び他の不必要なノイズがバネ引伸しのサイクルの全体にわたって発生する可能性があり、引張ドラムが叩かれているとき最大のばね張力で最も必要でないとき最も顕著な傾向がある。フェルト片及びその他のノイズ抑制材料がばねに貼られたが、ノイズ抑制の改善はフェルトのばねの滑らかで反復可能な反跳作用との干渉による相殺より通常大きい。
【０００６】
ばねは、また、ばねの反復サイクリングによって生じる疲労のために摺り減りやすい。疲労率は、偏心輪取り付けによって生じる追加の振り子運動によって悪化する。ばねが破断点まで摩耗する前に、その効率及び繰返し精度は摩耗のためにかなり損なわれることがある。さらに、ばねは過度に摩耗して更に状況を悪化させる可能性があるローラー・カムに結合している。
【０００７】
従来のドラム・ペダル板も取り付けるのに必要な蝶番は、また問題を生む。蝶番は磨り減り状態になって、それらが磨耗するにつれてゆるくなるか又はがたがたになる傾向がある。ガタガタいうような過度のノイズ及び予測できない運動がゆるい蝶番接続から生じる可能性がある。また、ドラマーは、蝶番及び／又はばねが磨り減るにつれて彼又は彼女のペダルの操作を調整しなければならない。一貫した反復可能な打音は、これらの条件の下で達成するのは不可能でなければ、むずかしい。
【０００８】
ばね及び蝶番のためのニーズは、蝶番のためとは別にばね及び類似の構成要素のためのカム、軸受及び軸のためのニーズを生む。これは、重量と同様にコスト、複雑さ及び機械的問題の生ずる可能性を増やす。更に、多数の構成要素のためのニーズは、全体としてドラマーが感知可能である「感触」及び装置の運動の自由を損なう。
【０００９】
ハイハット・シンバルは、類似のペダル構造で一般に制御されていた。同様の問題がペダル組立体におけるばね及び蝶番の使用と関連した欠点のために、ハイハット・シンバルで起こる。
【発明の開示】
【発明が解決しようとする課題】
【００１０】
本発明は音楽分野に用いられる改良型のペダル組立体に関する。本発明の主要な目的は、ばね及び蝶番のためのニーズを他の問題を含む構成要素（例えば偏心輪など）とともになくすユニークな方法で構成されるペダル組立体を提供することである。
【課題を解決するための手段】
【００１１】
ペダル板が取り付けるために蝶番を必要とすることなく押し下げられて独立したばねシステムを必要とするのではなくそれの固有の弾力性の結果としてそれのノーマル位置に戻ることができるようにする柔軟で弾力的な材料から構成されることが本発明の独特な特徴である。ばねなしかつ蝶番なしの構造は、これまでバスドラム及びハイハット・シンバルに用いられた音楽用のペダル組立体を悩ませた非効率性、不安定、ノイズ、摩耗、過度の重量及び複雑さをなくす。さらに、本発明のペダル構造は、より良い感触及びより自由な動きを有する。
【００１２】
本発明の好ましい実施例に従って、複合ペダル板が提供され、それは、足圧を解放すると、自然に非変形状態に戻る弾力的な材料から構成されている。ペダルは、ベースプレートに固定されて、それがドラマーの足をうまく受けることができるように通常ある傾斜で伸びている厚さを減らしたヒールがある。ペダルを取り付けるために好んで用いられるクランプ機構は、ペダルが示すたわみ性を変えるために薄いヒール領域の多少の露出量を調節できる。
【００１３】
ストライカ・パッドをペダルの下方への運動を制限するためにペダルのトウ領域の下に設置できることは、重要なもう一つの本発明の特徴である。これは、結果として、ドラマーが望み通りの力強さでペダルを踏むことができるようにしながら、ドラムに対するビータ・スティックの許される接触力を制限する。これは、活発なドラミングを妨げることなく音量レベルを制御する。また、音量レベルは、それが実質的にペダル操作の力強さに関係なく同じままなので、不変である。非常に攻撃的なドラマーさえ、比較的柔らかい音だけが可能であるようにストライカを調整することによって必要に応じて柔らかい音を達成することができる。
【００１４】
バスドラム用としての本発明の好ましい実施例において、ペダルのトウ領域は、今度はその対向端部で軸に固定されたカムアームに枢回接続するリンクで接続されている。ビータ・スティックは、リンクのカムアームへの枢回接続部と同軸であるハブに取り付けられている。この取付け構成は、打撃作用を高めるために回転と同様にビータ・スティックのフォワード・スローを生じる。色々な調節がリンク、カムアームへのリンクの接続部、ビータ・スティックの有効な長さとスロー及びビータ・ハブ上の棒の回転位置にペダルの接続のために行われてもよい。これらの調節の全ては、個々の行動の自由に対応する広範囲にわたる適応力を与える。
【００１５】
本発明のペダル組立体は、また、ハイハット・シンバルと「音のしない」ドラムの練習にも役立つ。ハイハット・アプリケーションにおいて、弾力的なペダルは、ばねの必要性及び従来のハイハットペダルと関連する他の複雑さをなくすためにシンバル制御棒と接続さできる。静かなバス・ドラミングを行うために、ペダルは、ビータ・スティック・リンク機構から切り離されても、なお、実際にドラムを打つ感触を与えることができる。それはまた、他の打楽器音（例えばカウベル、木版その他）のための足作動式機構と同様に、電子ドラムのための電子トリガー装置として働くことができる。
【００１６】
既存の踏み板を、本発明の原理を用いてばねなしかつ蝶番なしの設計に変換できる。これを達成するために、柔軟なペダル板材料の切片を既存の踏み板及び既存の装置の踏み板と連結しているヒール・プレートに取り付けできる。
【００１７】
本発明の他の更なる目的は、それに付隋する新規性の特徴と共に、以下の説明の間に出てくる。
【発明の効果】
【００１８】
本発明は、楽器用足踏み式ペダルに従来用いられていたばねや蝶番を用いて構成されるペダルに代えて、柔軟で弾力性のある材料を用いているので、従来の構成に用いられた各種の構成要素によって引き起こされる非効率、踏込み力の一貫性、ノイズ、磨耗、重量過多及び複雑さなどの問題を解消している。
【発明を実施するための最良の形態】
【００１９】
次に更に詳細に図面について説明すると、数字１０は、カウベル、ウッドブロックその他を含む他の打楽器音と同様に例えばバスドラム１２（図４）又はハイハット・シンバル組立体１４（図５参照））などの楽器を演奏するためにユーザの足によって操作される音楽用ペダル組立体を総括的に示している。ペダル組立体１０は、床、ステージ又はその他の支持面に載る平らなベースプレート１８を備えている。ベースプレート１８に取り付けられるのは、本質的に柔軟で弾力性のある複合材料から構成されるペダル板２０である。ペダル板２０は、矩形であってよく、ペダル板の本体部分２４の一端に形成されたヒール部分２２を備えている。ヒール部分２２は、図２と４に最もよく示されているように、本体部分２４より厚さが薄い。できれば、ヒール部分２２の長さは、ペダル２０の全長のほぼ２０%を占める長さであるのがよい。本体部分２４は、ヒール部分２２の反対側のペダル２０の端にあるトウ部分２６に終わっている。
【００２０】
ペダル板２０は、前方へペダル板２０を傾斜させるために選択される傾斜角で前上に曲がっている傾斜部分３２が出ている平らなベース部３０を備える曲がったプレート２８によってベースプレート１８に取り付けられている。ベース部分３０は、ベースプレート１８のヒール領域の上に適当なファスナ（例えばネジ３４（図２））によって固定されている。ネジ又はその他のファスナは、ベースプレート１８を通して上方へ伸ばされて、プレート２８のベース部分３０に螺子を切られてもよい。
【００２１】
ペダル２０のヒール部分２２は、傾斜プレート３２とクランプ・プレート３６の間に固定されている。ヒール部分２２は、傾斜プレート３２の上でクランプ・プレート３６の下に置かれてそれらの間にしっかりと挟まれている。図１を参照すると、ヒール部分２２は傾斜プレート３２とクランプ・プレート３６の間にある一対の隔置されたスロット３８を備えている。ネジ４０のようなファスナをクランプ・プレート３６の開口を通し、スロット４０を通し、そして下にある傾斜したプレート３２のねじ付き開口の中に入れることができる。ネジ４０が締められると、ペダル板のヒール部分２２はプレート３２と３６の間に堅く固定される。スロット４０を設けることによって、クランプ・プレート３６を越えて露出するヒール部分２２の長さを変えるためにヒール部分２２を上下へ調節できる。結果として、これによって、ペダル２０のたわみ性の調節が可能になり、ヒール部分２２の露出される部分が大きければ大きいほどペダルが示すたわみ性が大きくなる。
【００２２】
ヒール・パッド４１は、曲がったプレート２８のベース部分３０の上に接着されるか又はほかの手段で固定される。ヒール・パッド４１はペダル２０にかけたドラマーの足のヒールを受けるところにある。
【００２３】
バスドラムを演奏するために用いられるとき、小さいプレート４２がペダル２０のトウ部分２６に固定される。ボルトなどの一つ以上のファスナ４４がプレート４２にある穴及びペダルのトウ部分２６を貫通して形成されたスロット４６（図３）を通して入れられる。ナット４８（図４）をペダル板２０の適所にプレート４２を固定するためにボルト４４の端にはめ込むことができる。
【００２４】
図３に最もよく示されているように、小さいタブ５０がプレート４２の一方の縁部から上方へ突出ている。剛性リンク５２の下端は、ピボット・カプリング５４によってタブ５０と枢着されている。リンク５２は、カプリング５４によって決まる水平枢支軸のまわりに旋回することが可能である。
【００２５】
リンク５２の上端部は、短いカムアーム５６の一端と回転可能に接続されている。ねじ付きロッド５８がリンク５２とアーム５６の穴を通して入れられて、ビータ・ハブ６０の一端にねじ込まれている（図３）。ナット６４がロッド５８にねじ込まれて、リンク５２とアーム５６がロッド５８によって定められる水平枢支軸のまわりに、互いに対して旋回することができるようにしてリンク５２に対して締め付けられている。
【００２６】
カムアーム５６のロッド５８のあるのと反対側の端は、水平軸６６が通り抜ける穴を備えている。６６の対向端部は、ベースプレート１８にそれらの底端部で適当に固定された一対の直立した脚６８によってできているフレームに支持されている。軸６６は、それが軸６６の軸線と一致する水平軸線のまわりに脚６８を中心に回転することができるようにする軸受７０を備えている。
【００２７】
一対の取付ネジ７２は、カムアーム５６にねじ込まれてと軸６６に堅くアーム５６の端を固定するために軸６６に設けられた平らな部分に対して締められる。取付ネジ７２をゆるめて、アーム５６を回して軸６６上のアームの回転位置を調節できる。アーム５６の前端は、アーム５６のシャフト６６からの有効長さを調節できるように、ねじ付きロッド５８が通り抜けるスロット７４（図１）備えている。
【００２８】
ビータ・スティック７６がベース・ドラム１２のヘッドを打つために用いられるビータ・ヘッド７８を備えている。ビータ・スティック７６は、ハブ６０の穴を通して伸ばされて、取付ネジ８０（図３）を締めることによって堅くハブに固定できる。取付ネジ８０がゆるめられると、スティック７６は、スティック７６の有効長さとスローを変えるためにハブ６０に対して摺動して出入りできる。ストライカ・パッド８２がペダル２０のトウ領域２６の下の場所でベースプレート１８のトウ部分に取り付けられている。
【００２９】
ストライカ・パッド８２は、好ましくはゴム又は同様の材料で構成されることである。図２に最もよく示されているように、ペダル２０のトウ部分２６の下側は、ペダル２０が完全に押し下げられたときパッド８２を打つ楔ブロック８４を備えている。ブロック８４は、ブロック８４がペダルの追加の押下げを防止するために、パッド８２と接触する前に、ペダル２０の許される押下げ範囲を変えるために上下方向へ調節できる。
【００３０】
使用時には、ペダル組立体１０は、ステージ又は床でバスドラム１２のヘッドをたたく位置に配置される。ドラマーは、ペダル２０に彼又は彼女の足８６（図４）を置いて、ドラム・ヘッドをたたくために足圧でペダルを押し下げる。ペダル２０が図２に示されたノーマル位置から押し下げられた位置へ押し下げられるにつれて、リンク５２の底端部はペダルのトウ２６によって下方へ引かれ、したがって、カムアーム５６を図２に示された位置から逆時計回りの方向に図４に示された位置まで回転させる。この運動はまた、スティック７６が回されてビータ・ヘッド７８のドラムに対する打撃作用を与えるためにドラム１２に対して押しつけられるように、ハブ６０を回転させる。
【００３１】
足圧が解放されると、ペダル２０の固有の弾力的性質によってペダル２０が図２に示された位置であるそれのノーマル位置をとる。ビータ・スティックは、したがって、他の構成要素の全てとともに図２に示されたそれのノーマル位置に戻される。
【００３２】
ペダル２０が完全に押し下げられると、ブロック８４はペダルの押下げを制限するための止め具となるストライカ・パッド８２と接触することが分かる。従って、ペダルがドラマーによってどれほど激しく押し下げられるかに拘わらず、この構成は、ビータ・ヘッド７８のドラムに対する打撃の荒々しさを制限する。ブロック８４は、ペダルのために許された押下げの範囲を調節し、したがってドラム１２に対して加えられることができる力の量を調節するためにペダル２０のトウ領域２６の底面に沿って上下方向へ調節できる。
【００３３】
追加の調節が、リンク５２の底端部をスロット４６によって調節でき、リンク５２の頂部端の軸６６からの有効距離をスロット７４によって調節でき、ビータ・スティック７６の枢支軸５８からの有効長さを、ビータ・スティックのハブ６０の中ですべり嵌めによって調節でき、そして、カムアーム５６の軸６６上の回転位置を調節できるように、行われる。これらの調節の全てを適切に設定することによって、ペダル組立体を各個々のドラマーがドラム１２に対して所望のビータ作用を与えるために「微調整」することができる。更に、ペダル２０が示すたわみ量は、スロット３８によって調節できる。
【００３４】
図５は、ハイハット・シンバル１４で用いられるペダル組立体１０を概略的に示す。ペダル２０のトウ部分２６は、上部シンバル９２が取り付けられる垂直ロッド９０の下端と８８で枢着されている。ロッド９０は、三脚の脚９６によって摺動可能に床又はその他の支持面に取り付けできる垂直スリーブ９４の内側に嵌る。スリーブ９４の頂部端は、通常上部シンバル９２より下に隔置される下側のシンバル９８を担持する。しかし、ペダル２０がユーザの足によって押し下げられると、ロッド９０は下方へ引かれて上部シンバル９２を下側のシンバル９８に衝突させる。足圧が解かれると、ペダル２０の固有の弾力性とたわみ性によって、それがノーマル位置に戻り、そこで、ロッド９０が上方へ動いて、上部シンバル９２が図５に示された位置にあるシンバル９２より上に離される。
【００３５】
本発明のペダル構造は、また、二次ビータを作動させる補助ペダルを有するコントラバス・ドラムの構成に役立つ。この種のシステムは、単一のドラム・ヘッド面をたたく対のビータを設けることによって第２のバスドラムの必要性をなくす。これ及び弾力的なペダルを用いる他の変形態様は、本発明の範囲内である。
【００３６】
ストライカ・パッドが上記のことから、本発明が上述の全ての目的を明らかであり、本構造に固有である他の利点と共に達成するために十分に適しているものであるということが分かるであろう。
【００３７】
ある特徴及び副組合せが有用なもので、他の特徴及び副組合せに関係なく使用できることが分かるであろう。これは、特許請求の範囲の範囲によって考慮され、その中にある。
【００３８】
本発明の多くの可能な実施態様をそれの範囲から逸脱することなく、作ることができるので、本願明細書に記載され又は添付の図面に示された全ての事項は例示として解釈されるべきで、制限する意味ではないことを理解すべきである。
【産業上の利用可能性】
【００３９】
足踏み操作で制御を行う機器において本発明の構成は広く適用できる。
【図面の簡単な説明】
【００４０】
添付の図面において、明細書の一部を形成し、それとともに読まれる米であるおなじ参照数字が種々の図において同じ部品を示すために用いられている添付図面において、：
【図１】本発明の好ましい実施態様に従って構成されたバスドラム・ペダル組立体の斜視図である。
【図２】図１に示されたペダル組立体の側面図である。
【図３】図２の右側から見たペダル組立体の端立面図である。
【図４】ユーザの足によって押し下げられたペダル板を示す以外図２と同様の側面図である。
【図５】ハイハット・シンバルで用いるために適用された本発明に従って構成されたペダル組立体を示している略立面図である。
【符号の説明】
【００４１】
１８      ベースプレート  
２０      ペダル板
２２      ヒール部分
２４      ペダルの本体部分
５２      リンク
５６      カムアーム
７６      ビータ・スティック
７８      ビータ・ヘッド
８２      ストライカ・パッド
【図１】
2005173274.tif 000003
【図２】
2005173274.tif 000004
【図３】
2005173274.tif 000005
【図４】
2005173274.tif 000006
【図５】
2005173274.tif 000007